(57)【要約】【課題】  情報が流出する危険性を低減することができる画像処理システムおよび共有フォルダー管理プログラムを提供する。【解決手段】  画像処理システムは、画像を処理するジョブのためのジョブデータを記憶する共有フォルダーを管理するための共有フォルダー管理プログラムを実行するコンピューターと、ジョブデータに基づいてジョブを実行するＭＦＰとを備え、ＭＦＰは、共有フォルダーからジョブデータを取得するジョブデータ取得手段を備え、共有フォルダー管理プログラムは、共有フォルダーを管理する共有フォルダー管理サービスとしてコンピューターを機能させ、共有フォルダー管理サービスは、共有フォルダー管理プログラムの起動中のみフォルダーを共有状態にして共有フォルダーを生成する（Ｓ４２）ことを特徴とする。【選択図】  図５
2017076321.tif 000002
【特許請求の範囲】
【請求項１】
画像を処理するジョブのためのジョブデータを記憶する共有フォルダーを管理するための共有フォルダー管理プログラムを実行するコンピューターと、
前記ジョブデータに基づいてジョブを実行する画像処理装置とを備え、
前記画像処理装置は、前記共有フォルダーから前記ジョブデータを取得するジョブデータ取得手段を備え、
前記共有フォルダー管理プログラムは、前記共有フォルダーを管理する共有フォルダー管理手段として前記コンピューターを機能させ、
前記共有フォルダー管理手段は、前記共有フォルダー管理プログラムの起動中のみフォルダーを共有状態にして前記共有フォルダーを生成することを特徴とする画像処理システム。
【請求項２】
前記画像処理装置は、
指示が入力される入力デバイスと、
情報を表示する表示デバイスと、
前記共有フォルダーを示す共有フォルダー情報を前記コンピューターに要求する共有フォルダー情報要求手段と、
前記コンピューターによって送信されてきた前記共有フォルダー情報を前記表示デバイスに表示させる共有フォルダー情報表示手段とを備え、
前記ジョブデータ取得手段は、前記表示デバイスに表示された前記共有フォルダー情報によって示される前記共有フォルダーのうち、前記入力デバイスに入力された指示に応じて選択された共有フォルダーから前記ジョブデータを取得し、
前記共有フォルダー管理プログラムは、
前記共有フォルダー管理手段によって生成された前記共有フォルダーを示す前記共有フォルダー情報を管理する共有フォルダー情報管理手段、および、
前記共有フォルダー情報を要求してきた前記画像処理装置に、前記共有フォルダー情報管理手段によって管理されている前記共有フォルダー情報を送信する共有フォルダー情報送信手段として前記コンピューターを機能させることを特徴とする請求項１に記載の画像処理システム。
【請求項３】
前記画像処理装置は、前記コンピューターを検索するための検索メッセージをネットワーク上に配信する検索メッセージ配信手段を備え、
前記共有フォルダー管理プログラムは、前記検索メッセージを送信してきた前記画像処理装置に、前記検索メッセージに応答するための応答メッセージを返信する応答メッセージ返信手段として前記コンピューターを機能させ、
前記共有フォルダー情報要求手段は、前記応答メッセージを送信してきた前記コンピューターに前記共有フォルダー情報を要求することを特徴とする請求項２に記載の画像処理システム。
【請求項４】
前記検索メッセージ配信手段は、前記入力デバイスから入力された利用者の識別情報が含まれる前記検索メッセージを配信し、
前記応答メッセージ返信手段は、特定の前記識別情報が含まれる前記検索メッセージを送信してきた前記画像処理装置に前記応答メッセージを返信することを特徴とする請求項３に記載の画像処理システム。
【請求項５】
前記共有フォルダー情報送信手段は、前記共有フォルダー管理手段にアクセスするためのアクセス用情報を前記共有フォルダー情報の送信先の前記画像処理装置に送信し、
前記ジョブデータ取得手段は、前記コンピューターから送信されてきた前記アクセス用情報を、前記共有フォルダーから前記ジョブデータを取得する場合に前記コンピューターに送信し、
前記共有フォルダー管理手段は、前記画像処理装置から送信されてきた前記アクセス用情報に基づいて前記画像処理装置からのアクセスを許可することを特徴とする請求項２から請求項４までの何れかに記載の画像処理システム。
【請求項６】
前記共有フォルダー管理手段は、前記共有フォルダーを生成した場合に、生成した前記共有フォルダーを前記共有フォルダー情報に含めることを特徴とする請求項２から請求項５までの何れかに記載の画像処理システム。
【請求項７】
画像を処理するジョブのためのジョブデータを記憶する共有フォルダーを管理するための共有フォルダー管理プログラムであって、
前記共有フォルダーを管理する共有フォルダー管理手段としてコンピューターを機能させ、
前記共有フォルダー管理手段は、前記共有フォルダー管理プログラムの起動中のみフォルダーを共有状態にして前記共有フォルダーを生成することを特徴とする共有フォルダー管理プログラム。
【発明の詳細な説明】
【技術分野】
【０００１】
本発明は、画像を処理するジョブのためのジョブデータに基づいてジョブを実行する画像処理装置を備える画像処理システムに関する。
【背景技術】
【０００２】
従来、ジョブデータを記憶する携帯端末装置と、携帯端末装置に記憶されているジョブデータに基づいてジョブを実行する画像処理装置とを備える画像処理システムが知られている（例えば、特許文献１参照。）。特許文献１に記載された画像処理システムにおいては、携帯端末装置と、画像処理装置とが近距離無線通信方式で接続された場合、すなわち、携帯端末装置と、画像処理装置とが互いに近い位置に存在するようになった場合に、携帯端末装置から画像処理装置にジョブデータが送信された後、ジョブデータに基づいて画像処理装置によって直ちにジョブが実行される。
【０００３】
ここで、従来、コンピューターから画像処理装置にジョブデータが送信された後、ジョブデータに基づいて画像処理装置によって直ちにジョブが実行される技術（以下「参考技術１」という。）が存在する。参考技術１においては、コンピューターと、画像処理装置とが互いに遠い位置に存在する状態であってもコンピューターから画像処理装置にジョブデータが送信されるので、ジョブデータが印刷データである場合に、印刷データに基づいて画像処理装置によって印刷物が印刷されたとき、画像処理装置上の印刷物がコンピューターの利用者によって画像処理装置から長時間取得されない可能性がある。したがって、参考技術１においては、ジョブデータが印刷データである場合に、画像処理装置上の印刷物から情報が流出する危険性がある。しかしながら、特許文献１に記載された画像処理システムにおいては、携帯端末装置と、画像処理装置とが近距離無線通信方式で接続された場合、すなわち、携帯端末装置と、画像処理装置とが互いに近い位置に存在するようになった場合に、携帯端末装置から画像処理装置にジョブデータが送信されるので、ジョブデータが印刷データである場合に、印刷データに基づいて画像処理装置によって印刷物が印刷されたとき、画像処理装置上の印刷物が携帯端末装置の利用者によって画像処理装置から長時間取得されない可能性を、参考技術１と比較して低減することができる。すなわち、特許文献１に記載された画像処理システムにおいては、ジョブデータが印刷データである場合に、画像処理装置上の印刷物から情報が流出する危険性を、参考技術１と比較して低減することができる。
【０００４】
また、従来、コンピューターから画像処理装置にジョブデータが一時保存指定で送信される技術（以下「参考技術２」という。）が存在する。参考技術２において、画像処理装置は、コンピューターから一時保存指定で送信されてきたジョブデータを画像処理装置自身のＲＡＭ（Ｒａｎｄｏｍ  Ａｃｃｅｓｓ  Ｍｅｍｏｒｙ）に記憶し、画像処理装置自身の入力デバイスからの指示に応じて、ＲＡＭ上のジョブデータに基づいてジョブを実行する。参考技術２においては、画像処理装置のＲＡＭ上のジョブデータに基づいたジョブの実行の指示が画像処理装置の入力デバイスからあるまで、画像処理装置のＲＡＭ上のジョブデータに基づいたジョブを実行しないので、ジョブデータが印刷データである場合に、印刷データに基づいて画像処理装置によって印刷された印刷物から情報が流出する危険性を、参考技術１と比較して低減することができる。しかしながら、参考技術２においては、画像処理装置のＲＡＭ上のジョブデータに基づいたジョブの実行の指示が画像処理装置の入力デバイスからあるまで、画像処理装置のＲＡＭにジョブデータが記憶されているので、画像処理装置のＲＡＭ上のジョブデータから情報が流出する危険性がある。また、参考技術２においては、ジョブデータをスプールするための容量が画像処理装置のＲＡＭに必要であるので、実現するためのコストが高い。しかしながら、特許文献１に記載された画像処理システムにおいては、携帯端末装置と、画像処理装置とが近距離無線通信方式で接続された場合に、携帯端末装置から画像処理装置にジョブデータが送信された後、ジョブデータに基づいて画像処理装置によって直ちにジョブが実行されるので、画像処理装置のＲＡＭ上にジョブデータがスプールされる必要がなく、情報が流出する危険性と、実現するためのコストとを、参考技術２と比較して低減することができる。
【０００５】
また、従来、コンピューターから画像処理装置にジョブデータが不揮発メモリー保存指定で送信される技術（以下「参考技術３」という。）が存在する。参考技術３において、画像処理装置は、コンピューターから不揮発メモリー保存指定で送信されてきたジョブデータを画像処理装置自身の不揮発メモリーに記憶し、画像処理装置自身の入力デバイスからの指示に応じて、不揮発メモリー上のジョブデータに基づいてジョブを実行する。参考技術３においては、画像処理装置の不揮発メモリー上のジョブデータに基づいたジョブの実行の指示が画像処理装置の入力デバイスからあるまで、画像処理装置の不揮発メモリー上のジョブデータに基づいたジョブを実行しないので、ジョブデータが印刷データである場合に、印刷データに基づいて画像処理装置によって印刷された印刷物から情報が流出する危険性を、参考技術１と比較して低減することができる。しかしながら、参考技術３においては、画像処理装置の不揮発メモリー上のジョブデータに基づいたジョブの実行の指示が画像処理装置の入力デバイスからあるまで、画像処理装置の不揮発メモリーにジョブデータが記憶されているので、画像処理装置の不揮発メモリー上のジョブデータから情報が流出する危険性がある。更に、参考技術３においては、画像処理装置の不揮発メモリー上のジョブデータに基づいてジョブを実行した後、画像処理装置の不揮発メモリー上からジョブデータがファイルシステムにおいて形式的に削除されても、実際のジョブデータが画像処理装置の不揮発メモリー上に未だ残っているので、ジョブの実行後であっても、画像処理装置の不揮発メモリー上の実際のジョブデータから情報が流出する危険性がある。そして、画像処理装置の不揮発メモリー上の実際のジョブデータを完全に削除するためには、高価なソフトウェアが必要になる。また、参考技術３においては、ジョブデータをスプールするための容量が画像処理装置の不揮発メモリーに必要であるので、実現するためのコストが高い。しかしながら、特許文献１に記載された画像処理システムにおいては、携帯端末装置と、画像処理装置とが近距離無線通信方式で接続された場合に、携帯端末装置から画像処理装置にジョブデータが送信された後、ジョブデータに基づいて画像処理装置によって直ちにジョブが実行されるので、画像処理装置の不揮発メモリー上にジョブデータがスプールされる必要がなく、情報が流出する危険性と、実現するためのコストとを、参考技術３と比較して低減することができる。
【先行技術文献】
【特許文献】
【０００６】
【特許文献１】特開２００９−１５１６８６号公報
【発明の概要】
【発明が解決しようとする課題】
【０００７】
しかしながら、特許文献１に記載された画像処理システムにおいては、携帯端末装置に記憶されているジョブデータから情報が流出する危険性があるという問題がある。
【０００８】
そこで、本発明は、情報が流出する危険性を低減することができる画像処理システムおよび共有フォルダー管理プログラムを提供することを目的とする。
【課題を解決するための手段】
【０００９】
本発明の画像処理システムは、画像を処理するジョブのためのジョブデータを記憶する共有フォルダーを管理するための共有フォルダー管理プログラムを実行するコンピューターと、前記ジョブデータに基づいてジョブを実行する画像処理装置とを備え、前記画像処理装置は、前記共有フォルダーから前記ジョブデータを取得するジョブデータ取得手段を備え、前記共有フォルダー管理プログラムは、前記共有フォルダーを管理する共有フォルダー管理手段として前記コンピューターを機能させ、前記共有フォルダー管理手段は、前記共有フォルダー管理プログラムの起動中のみフォルダーを共有状態にして前記共有フォルダーを生成することを特徴とする。
【００１０】
この構成により、本発明の画像処理システムは、画像を処理するジョブのためのジョブデータを記憶するフォルダーを共有フォルダー管理プログラムの起動中のみコンピューターが共有状態にするので、共有フォルダーに記憶されているジョブデータから情報が流出する危険性を低減することができる。
【００１１】
本発明の画像処理システムにおいて、前記画像処理装置は、指示が入力される入力デバイスと、情報を表示する表示デバイスと、前記共有フォルダーを示す共有フォルダー情報を前記コンピューターに要求する共有フォルダー情報要求手段と、前記コンピューターによって送信されてきた前記共有フォルダー情報を前記表示デバイスに表示させる共有フォルダー情報表示手段とを備え、前記ジョブデータ取得手段は、前記表示デバイスに表示された前記共有フォルダー情報によって示される前記共有フォルダーのうち、前記入力デバイスに入力された指示に応じて選択された共有フォルダーから前記ジョブデータを取得し、前記共有フォルダー管理プログラムは、前記共有フォルダー管理手段によって生成された前記共有フォルダーを示す前記共有フォルダー情報を管理する共有フォルダー情報管理手段、および、前記共有フォルダー情報を要求してきた前記画像処理装置に、前記共有フォルダー情報管理手段によって管理されている前記共有フォルダー情報を送信する共有フォルダー情報送信手段として前記コンピューターを機能させても良い。
【００１２】
この構成により、本発明の画像処理システムは、画像処理装置の入力デバイスに入力された指示に応じて選択された共有フォルダーから画像処理装置にジョブデータを取得するので、利用者によって選択された共有フォルダーに記憶されているジョブデータに基づいたジョブを画像処理装置に実行させることができる。
【００１３】
本発明の画像処理システムにおいて、前記画像処理装置は、前記コンピューターを検索するための検索メッセージをネットワーク上に配信する検索メッセージ配信手段を備え、前記共有フォルダー管理プログラムは、前記検索メッセージを送信してきた前記画像処理装置に、前記検索メッセージに応答するための応答メッセージを返信する応答メッセージ返信手段として前記コンピューターを機能させ、前記共有フォルダー情報要求手段は、前記応答メッセージを送信してきた前記コンピューターに前記共有フォルダー情報を要求しても良い。
【００１４】
この構成により、本発明の画像処理システムは、画像処理装置からネットワーク上に配信する検索メッセージと、検索メッセージに応答するためにコンピューターによって送信される応答メッセージとによって、ジョブデータを記憶している共有フォルダーを備えるコンピューターを画像処理装置が特定するので、ジョブデータを記憶している共有フォルダーを備えるコンピューターの情報を画像処理装置に事前に設定する必要がなく、容易に実現することができる。
【００１５】
本発明の画像処理システムにおいて、前記検索メッセージ配信手段は、前記入力デバイスから入力された利用者の識別情報が含まれる前記検索メッセージを配信し、前記応答メッセージ返信手段は、特定の前記識別情報が含まれる前記検索メッセージを送信してきた前記画像処理装置に前記応答メッセージを返信しても良い。
【００１６】
この構成により、本発明の画像処理システムは、特定の利用者の識別情報が含まれる検索メッセージを送信してきた画像処理装置にコンピューターが応答メッセージを返信するので、特定の利用者に対応付けられている共有フォルダーを備えるコンピューターのみを画像処理装置によって特定することができる。したがって、本発明の画像処理システムは、コンピューターの共有フォルダーに記憶されているジョブデータから情報が流出する危険性を低減することができる。
【００１７】
本発明の画像処理システムにおいて、前記共有フォルダー情報送信手段は、前記共有フォルダー管理手段にアクセスするためのアクセス用情報を前記共有フォルダー情報の送信先の前記画像処理装置に送信し、前記ジョブデータ取得手段は、前記コンピューターから送信されてきた前記アクセス用情報を、前記共有フォルダーから前記ジョブデータを取得する場合に前記コンピューターに送信し、前記共有フォルダー管理手段は、前記画像処理装置から送信されてきた前記アクセス用情報に基づいて前記画像処理装置からのアクセスを許可しても良い。
【００１８】
この構成により、本発明の画像処理システムは、コンピューターから送信されてきたアクセス用情報をコンピューターに送信する画像処理装置のみが共有フォルダーにアクセス可能であるので、コンピューターの共有フォルダーに記憶されているジョブデータから情報が流出する危険性を低減することができる。
【００１９】
本発明の画像処理システムにおいて、前記共有フォルダー管理手段は、前記共有フォルダーを生成した場合に、生成した前記共有フォルダーを前記共有フォルダー情報に含めても良い。
【００２０】
この構成により、本発明の画像処理システムは、共有フォルダー管理プログラムの起動中のコンピューターの共有フォルダーが共有フォルダー情報に自動的に含められるので、ジョブデータを記憶している共有フォルダーの情報を画像処理装置に事前に設定する必要がなく、容易に実現することができる。
【００２１】
本発明の共有フォルダー管理プログラムは、画像を処理するジョブのためのジョブデータを記憶する共有フォルダーを管理するための共有フォルダー管理プログラムであって、前記共有フォルダーを管理する共有フォルダー管理手段としてコンピューターを機能させ、前記共有フォルダー管理手段は、前記共有フォルダー管理プログラムの起動中のみフォルダーを共有状態にして前記共有フォルダーを生成することを特徴とする。
【００２２】
この構成により、本発明の共有フォルダー管理プログラムを実行するコンピューターは、画像を処理するジョブのためのジョブデータを記憶するフォルダーを共有フォルダー管理プログラムの起動中のみ共有状態にするので、共有フォルダーに記憶されているジョブデータから情報が流出する危険性を低減することができる。
【発明の効果】
【００２３】
本発明の画像処理システムおよび共有フォルダー管理プログラムは、情報が流出する危険性を低減することができる。
【図面の簡単な説明】
【００２４】
【図１】本発明の一実施の形態に係る画像処理システムのブロック図である。
【図２】図１に示すＭＦＰのブロック図である。
【図３】図１に示すコンピューターのブロック図である。
【図４】図３に示す共有フォルダー情報の一例を示す図である。
【図５】共有フォルダーを生成する場合の図３に示すコンピューターの動作のフローチャートである。
【図６】共有フォルダーを解除する場合の図３に示すコンピューターの動作のフローチャートである。
【図７】共有フォルダー管理プログラムの実行を終了する場合の図３に示すコンピューターの動作のフローチャートである。
【図８】ＭＦＰによってジョブを実行する場合の図１に示す画像処理システムの動作のシーケンス図である。
【図９】図２に示す表示部に表示された共有フォルダー情報の一例を示す図である。
【図１０】図２に示す表示部に表示されたジョブデータの一覧の一例を示す図である。
【発明を実施するための形態】
【００２５】
以下、本発明の一実施の形態について、図面を用いて説明する。
【００２６】
まず、本実施の形態に係る画像処理システム１０の構成について説明する。
【００２７】
図１は、本実施の形態に係る画像処理システム１０のブロック図である。
【００２８】
図１に示すように、画像処理システム１０は、画像処理装置としてのＭＦＰ（Ｍｕｌｔｉｆｕｎｃｔｉｏｎ  Ｐｅｒｉｐｈｅｒａｌ）２０を含む複数のＭＦＰと、ＰＣ（Ｐｅｒｓｏｎａｌ  Ｃｏｍｐｕｔｅｒ）などのコンピューター３０を含む複数のコンピューターとを備えている。ＭＦＰと、コンピューターとは、ＬＡＮ（Ｌｏｃａｌ  Ａｒｅａ  Ｎｅｔｗｏｒｋ）、インターネットなどのネットワーク１１を介して互いに通信可能に接続されている。
【００２９】
ＭＦＰと、コンピューターとの間の通信方式としては、ＷｅｂサービスやＲＥＳＴ（Ｒｅｐｒｅｓｅｎｔａｔｉｏｎａｌ  Ｓｔａｔｅ  Ｔｒａｎｓｆｅｒ）など、様々な方式が採用されることが可能である。
【００３０】
画像処理システム１０に含まれている多数のＭＦＰのそれぞれの構成は、ＭＦＰ２０の構成と同様である。したがって、以下においては、画像処理システム１０に含まれる多数のＭＦＰを代表してＭＦＰ２０について説明する。
【００３１】
また、画像処理システム１０に含まれている多数のコンピューターのそれぞれの構成は、コンピューター３０の構成と同様である。したがって、以下においては、画像処理システム１０に含まれる多数のコンピューターを代表してコンピューター３０について説明する。
【００３２】
図２は、ＭＦＰ２０のブロック図である。
【００３３】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶している半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００３４】
操作部２１は、表示部２２とともにタッチパネルを形成する入力デバイスを含んでいても良い。
【００３５】
記憶部２７は、ＭＦＰ２０によって実行される画像処理プログラム２７ａを記憶している。画像処理プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの外部の記憶媒体からＭＦＰ２０に追加でインストールされても良いし、ネットワーク１１上からＭＦＰ２０に追加でインストールされても良い。
【００３６】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００３７】
制御部２８は、記憶部２７に記憶されている画像処理プログラム２７ａを実行することによって、コンピューターを検索するための検索メッセージをネットワーク１１上に配信する検索メッセージ配信手段２８ａ、検索メッセージに応答するための応答メッセージを送信してきたコンピューターに、画像を処理するジョブのためのジョブデータを記憶する共有フォルダーを示す共有フォルダー情報を要求する共有フォルダー情報要求手段２８ｂ、コンピューターによって送信されてきた共有フォルダー情報を表示部２２に表示させる共有フォルダー情報表示手段２８ｃ、表示部２２に表示された共有フォルダー情報によって示される共有フォルダーのうち、操作部２１に入力された指示に応じて選択された共有フォルダーからジョブデータを取得するジョブデータ取得手段２８ｄ、および、ジョブデータ取得手段２８ｄによって取得されたジョブデータに基づいてジョブを実行するジョブ実行手段２８ｅとして機能する。
【００３８】
図３は、コンピューター３０のブロック図である。
【００３９】
図３に示すように、コンピューター３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶デバイスである記憶部３４と、コンピューター３０全体を制御する制御部３５とを備えている。
【００４０】
記憶部３４は、共有フォルダーを管理するためのアプリケーションプログラムとしての共有フォルダー管理プログラム３４ａを記憶している。共有フォルダー管理プログラム３４ａは、コンピューター３０の製造段階でコンピューター３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター３０に追加でインストールされても良いし、ネットワーク１１上からコンピューター３０に追加でインストールされても良い。
【００４１】
記憶部３４は、共有フォルダー情報３４ｂを記憶することが可能である。
【００４２】
図４は、共有フォルダー情報３４ｂの一例を示す図である。
【００４３】
図４に示すように、共有フォルダー情報３４ｂは、共有フォルダーの名称を示すフォルダー名と、共有フォルダーに対応付けられている利用者の識別情報としての利用者ＩＤとの対応関係を含んでいる。例えば、図４において、フォルダー名「Ｆ０１」の共有フォルダーは、利用者ＩＤ「Ｕ０１」の利用者に対応付けられている。
【００４４】
図３に示すように、記憶部３４は、ジョブデータを記憶するフォルダー３４ｃを記憶することが可能である。
【００４５】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００４６】
制御部３５は、記憶部３４に記憶されている共有フォルダー管理プログラム３４ａを実行することによって、共有フォルダー情報３４ｂを管理するための共有フォルダー情報管理サービス３５ａとして機能する。
【００４７】
共有フォルダー情報管理サービス３５ａは、共有フォルダーを管理する共有フォルダー管理手段としての共有フォルダー管理サービス３５ｂと、共有フォルダー管理サービス３５ｂによって生成された共有フォルダーを示す共有フォルダー情報３４ｂを管理する共有フォルダー情報管理手段としての共有フォルダー情報管理システム３５ｃと、検索メッセージを送信してきたＭＦＰに応答メッセージを返信する応答メッセージ返信手段としての検索サービス３５ｄと、共有フォルダー情報３４ｂを要求してきたＭＦＰに、共有フォルダー情報管理システム３５ｃによって管理されている共有フォルダー情報３４ｂを送信する共有フォルダー情報送信手段としての共有フォルダー情報サービス３５ｅとを備えている。
【００４８】
次に、画像処理システム１０の動作について説明する。
【００４９】
まず、共有フォルダーを生成する場合のコンピューター３０の動作について説明する。
【００５０】
図５は、共有フォルダーを生成する場合のコンピューター３０の動作のフローチャートである。
【００５１】
利用者は、コンピューター３０上に共有フォルダーを生成する場合、共有フォルダー情報管理サービス３５ａを起動する。コンピューター３０の共有フォルダー管理サービス３５ｂは、共有フォルダー管理プログラム３４ａの起動中、図５に示す動作を繰り返し実行する。
【００５２】
図５に示すように、共有フォルダー管理サービス３５ｂは、共有状態にするフォルダー３４ｃが操作部３１を介して指定されたか否かを判断する（Ｓ４１）。
【００５３】
共有フォルダー管理サービス３５ｂは、共有状態にするフォルダー３４ｃが操作部３１を介して指定されていないとＳ４１において判断すると、図５に示す動作を終了する。
【００５４】
共有フォルダー管理サービス３５ｂは、共有状態にするフォルダー３４ｃが操作部３１を介して指定されたとＳ４１において判断すると、操作部３１を介して指定されたフォルダー３４ｃを共有状態にして共有フォルダーを生成する（Ｓ４２）。
【００５５】
次いで、共有フォルダー管理サービス３５ｂは、Ｓ４２において生成した共有フォルダーを共有フォルダー情報３４ｂに含めて（Ｓ４３）、図５に示す動作を終了する。
【００５６】
なお、共有フォルダー管理サービス３５ｂは、図５に示す動作によって共有フォルダーにする前のフォルダー３４ｃと、図５に示す動作によって共有フォルダーにした後のフォルダー３４ｃとの何れに対しても、操作部３１を介して指定されたジョブデータを記憶させることができる。
【００５７】
また、フォルダー３４ｃは、共有フォルダー管理サービス３５ｂによって共有状態とされている期間のみ、共有フォルダーとなる。したがって、例えば、共有フォルダー管理プログラム３４ａが終了している場合には、共有フォルダー管理サービス３５ｂによって共有状態とされていることができないので、フォルダー３４ｃは、共有状態が解除される。
【００５８】
次に、共有フォルダーを解除する場合のコンピューター３０の動作について説明する。
【００５９】
図６は、共有フォルダーを解除する場合のコンピューター３０の動作のフローチャートである。
【００６０】
コンピューター３０の共有フォルダー管理サービス３５ｂは、共有フォルダー管理プログラム３４ａの起動中、図６に示す動作を繰り返し実行する。
【００６１】
図６に示すように、共有フォルダー管理サービス３５ｂは、共有状態を解除するフォルダー３４ｃが操作部３１を介して指定されたか否かを判断する（Ｓ５１）。
【００６２】
共有フォルダー管理サービス３５ｂは、共有状態を解除するフォルダー３４ｃが操作部３１を介して指定されていないとＳ５１において判断すると、図６に示す動作を終了する。
【００６３】
共有フォルダー管理サービス３５ｂは、共有状態を解除するフォルダー３４ｃが操作部３１を介して指定されたとＳ５１において判断すると、操作部３１を介して指定されたフォルダー３４ｃの共有状態を解除する（Ｓ５２）。
【００６４】
次いで、共有フォルダー管理サービス３５ｂは、Ｓ５２において共有状態を解除したフォルダー３４ｃを共有フォルダー情報３４ｂから削除して（Ｓ５３）、図６に示す動作を終了する。
【００６５】
次に、共有フォルダー管理プログラム３４ａの実行を終了する場合のコンピューター３０の動作について説明する。
【００６６】
図７は、共有フォルダー管理プログラム３４ａの実行を終了する場合のコンピューター３０の動作のフローチャートである。
【００６７】
コンピューター３０の共有フォルダー管理サービス３５ｂは、共有フォルダー管理プログラム３４ａの実行を終了する場合、図７に示す動作を実行する。
【００６８】
図７に示すように、共有フォルダー管理サービス３５ｂは、共有状態のフォルダー３４ｃが存在するか否かを共有フォルダー情報３４ｂに基づいて判断する（Ｓ６１）。
【００６９】
共有フォルダー管理サービス３５ｂは、共有状態のフォルダー３４ｃが存在しないとＳ６１において判断すると、図７に示す動作を終了する。
【００７０】
共有フォルダー管理サービス３５ｂは、共有状態のフォルダー３４ｃが存在するとＳ６１において判断すると、共有状態のフォルダー３４ｃの共有状態を解除する（Ｓ６２）。
【００７１】
次いで、共有フォルダー管理サービス３５ｂは、Ｓ６２において共有状態を解除したフォルダー３４ｃを共有フォルダー情報３４ｂから削除して（Ｓ６３）、図７に示す動作を終了する。
【００７２】
次に、ＭＦＰ２０によってジョブを実行する場合の画像処理システム１０の動作について説明する。
【００７３】
図８は、ＭＦＰ２０によってジョブを実行する場合の画像処理システム１０の動作のシーケンス図である。
【００７４】
コンピューター３０に対する操作の権限を有している利用者は、コンピューター３０に共有フォルダー情報管理サービス３５ａを起動させるための操作をコンピューター３０の操作部３１に入力する。したがって、図８に示すように、コンピューター３０の制御部３５は、利用者による操作部３１に対する入力に応じて共有フォルダー管理プログラム３４ａを実行して共有フォルダー情報管理サービス３５ａを起動させる（Ｓ７１）。
【００７５】
次いで、利用者は、コンピューター３０が設置されている場所からＭＦＰ２０が設置されている場所に移動し、利用者の識別情報としての利用者ＩＤと、利用者のパスワードとをＭＦＰ２０の操作部２１を介して入力することによって、ＭＦＰ２０へのログインを試みる。したがって、ＭＦＰ２０の制御部２８は、操作部２１を介して入力された利用者ＩＤおよびパスワードの組み合わせに基づいてログインを許可する（Ｓ７２）。
【００７６】
次いで、利用者は、ログイン後にＭＦＰ２０の表示部２２に表示される図示していないデータ取得先選択ボタンを押す操作をＭＦＰ２０の操作部２１に入力する。したがって、ＭＦＰ２０の検索メッセージ配信手段２８ａは、コンピューター３０を検索するための検索メッセージをネットワーク通信部２６を介してネットワーク１１上に配信する（Ｓ７３）。例えば、検索メッセージ配信手段２８ａは、ＷＳ−Ｄｉｓｃｏｖｅｒｙ（Ｗｅｂ  Ｓｅｒｖｉｃｅｓ  Ｄｙｎａｍｉｃ  Ｄｉｓｃｏｖｅｒｙ）を使用して、コンピューター３０を検索するための検索メッセージとしてのＰｒｏｂｅメッセージを送信する。すなわち、検索メッセージ配信手段２８ａは、共有フォルダー情報管理サービス３５ａが起動されているコンピューター３０を検索するＵＤＰ（Ｕｓｅｒ  Ｄａｔａｇｒａｍ  Ｐｒｏｔｏｃｏｌ）マルチキャストを使用して、共有フォルダー情報管理サービス３５ａが起動されているコンピューター３０を検索するためのＰｒｏｂｅメッセージを送信する。なお、検索メッセージ配信手段２８ａは、Ｓ７２におけるログインの際に操作部２１を介して入力された利用者ＩＤを検索メッセージに含めて送信しても良い。
【００７７】
コンピューター３０の検索サービス３５ｄは、Ｓ７３において配信された検索メッセージをネットワーク通信部３３を介して受信すると、この検索メッセージの内容に自身が合致する場合、この検索メッセージを送信してきたＭＦＰ２０に応答メッセージをネットワーク通信部３３を介して返信する（Ｓ７４）。例えば、検索サービス３５ｄは、Ｓ７３において配信された検索メッセージがＷＳ−ＤｉｓｃｏｖｅｒｙのＰｒｏｂｅメッセージである場合、ＷＳ−ＤｉｓｃｏｖｅｒｙのＰｒｏｂｅＭａｔｃｈメッセージを応答メッセージとして返信する。これによって、ＭＦＰ２０は、コンピューター３０の所在を認識することができる。なお、検索サービス３５ｄは、特定の利用者ＩＤが含まれる検索メッセージをＭＦＰ２０が送信してきた場合にのみ、ＭＦＰ２０に応答メッセージを返信しても良い。ここで、特定の利用者ＩＤとは、共有フォルダー情報３４ｂに示される共有フォルダーに対応付けられている利用者ＩＤである。
【００７８】
ＭＦＰ２０の共有フォルダー情報要求手段２８ｂは、Ｓ７４において返信された応答メッセージをネットワーク通信部２６を介して受信すると、この応答メッセージを送信してきたコンピューター３０に共有フォルダー情報をネットワーク通信部２６を介して要求する（Ｓ７５）。なお、共有フォルダー情報要求手段２８ｂａは、Ｓ７２におけるログインの際に操作部２１を介して入力された利用者ＩＤをＳ７５における要求に含めて送信しても良い。
【００７９】
コンピューター３０の共有フォルダー情報サービス３５ｅは、Ｓ７５における共有フォルダー情報の要求をネットワーク通信部３３を介して受信すると、共有フォルダー情報管理システム３５ｃによって管理されている共有フォルダー情報３４ｂを、Ｓ７５において共有フォルダー情報を要求してきたＭＦＰ２０にネットワーク通信部３３を介して送信する（Ｓ７６）。ここで、共有フォルダー情報サービス３５ｅは、共有フォルダー管理サービス３５ｂにアクセスするためのアクセス用情報をＭＦＰ２０に送信する。なお、共有フォルダー情報サービス３５ｅは、Ｓ７５における要求に含まれる利用者ＩＤが対応付けられている共有フォルダーを示す共有フォルダー情報３４ｂのみをＭＦＰ２０に送信しても良い。
【００８０】
ＭＦＰ２０の共有フォルダー情報表示手段２８ｃは、Ｓ７６において送信されてきた共有フォルダー情報をネットワーク通信部２６を介して受信すると、この共有フォルダー情報を表示部２２に表示させる（Ｓ７７）。ここで、共有フォルダー情報表示手段２８ｃは、複数の共有フォルダー情報を受信した場合、受信した複数の共有フォルダー情報を全て表示部２２に表示させる。例えば、共有フォルダー情報表示手段２８ｃは、複数のコンピューターの共有フォルダー情報サービスから共有フォルダー情報が送信されてきた場合、複数のコンピューターの共有フォルダー情報サービスのそれぞれから送信されてきた共有フォルダー情報を全て表示部２２に表示させる。
【００８１】
図９は、表示部２２に表示された共有フォルダー情報の一例を示す図である。
【００８２】
図９に示す画面には、共有フォルダーの名称を示すフォルダー名領域９１と、フォルダー名領域９１において選択された共有フォルダーに記憶されているジョブデータの一覧を要求するためのボタン９２と、図８に示す動作を終了する指示を受け付けるためのボタン９３とを含んでいる。
【００８３】
図８に示すように、利用者は、Ｓ７７において表示部２２に表示された共有フォルダー情報によって示される共有フォルダーのうち、任意の共有フォルダーを操作部２１によって選択してジョブデータの一覧の要求を指示することができる。ＭＦＰ２０のジョブデータ取得手段２８ｄは、操作部２１に入力された指示に応じて共有フォルダーが選択されてジョブデータの一覧の要求が指示されると、この共有フォルダーに記憶されているジョブデータの一覧を、この共有フォルダーを管理する共有フォルダー管理サービスに要求する。例えば、操作部２１に入力された指示に応じて選択された共有フォルダーがコンピューター３０の共有フォルダー管理サービス３５ｂによって管理されている場合、ジョブデータ取得手段２８ｄは、この共有フォルダーに記憶されているジョブデータの一覧を共有フォルダー管理サービス３５ｂに要求する（Ｓ７８）。ここで、ジョブデータ取得手段２８ｄは、共有フォルダー管理サービス３５ｂにアクセスするために、Ｓ７６において共有フォルダー情報サービス３５ｅから送信されてきたアクセス用情報を共有フォルダー管理サービス３５ｂに送信する。したがって、共有フォルダー管理サービス３５ｂは、ＭＦＰ２０から送信されてきたアクセス用情報に基づいてＭＦＰ２０からのアクセスを許可する。
【００８４】
コンピューター３０の共有フォルダー管理サービス３５ｂは、自身が管理している共有フォルダーに記憶されているジョブデータの一覧がＳ７８において要求されると、この一覧をＭＦＰ２０に送信する（Ｓ７９）。
【００８５】
ＭＦＰ２０のジョブデータ取得手段２８ｄは、Ｓ７９において送信されてきた一覧をネットワーク通信部２６を介して受信すると、この一覧を表示部２２に表示させる（Ｓ８０）。
【００８６】
図１０は、表示部２２に表示されたジョブデータの一覧の一例を示す図である。
【００８７】
図１０に示す画面には、共有フォルダーに記憶されているジョブデータの名称を示すジョブデータ名領域９５と、ジョブデータ名領域９５において選択されたジョブデータに基づいたジョブの実行を要求するためのボタン９６と、図８に示す動作を終了する指示を受け付けるためのボタン９３とを含んでいる。
【００８８】
図８に示すように、利用者は、Ｓ８０において表示部２２に表示された一覧に含まれるジョブデータのうち、任意のジョブデータを操作部２１によって選択してジョブの実行を指示することができる。ＭＦＰ２０のジョブデータ取得手段２８ｄは、操作部２１に入力された指示に応じてジョブデータが選択されてジョブの実行が指示されると、このジョブデータを、このジョブデータを記憶している共有フォルダーを管理する共有フォルダー管理サービスに要求する。例えば、操作部２１に入力された指示に応じて選択されたジョブデータがコンピューター３０の共有フォルダー管理サービス３５ｂによって管理されている共有フォルダーに記憶されている場合、ジョブデータ取得手段２８ｄは、このジョブデータを共有フォルダー管理サービス３５ｂに要求する（Ｓ８１）。ここで、ジョブデータ取得手段２８ｄは、共有フォルダー管理サービス３５ｂにアクセスするために、Ｓ７６において共有フォルダー情報サービス３５ｅから送信されてきたアクセス用情報を共有フォルダー管理サービス３５ｂに送信する。したがって、共有フォルダー管理サービス３５ｂは、ＭＦＰ２０から送信されてきたアクセス用情報に基づいてＭＦＰ２０からのアクセスを許可する。
【００８９】
コンピューター３０の共有フォルダー管理サービス３５ｂは、自身が管理している共有フォルダーに記憶されているジョブデータがＳ８１において要求されると、このジョブデータをＭＦＰ２０に送信する（Ｓ８２）。
【００９０】
Ｓ８２において送信されてきたジョブデータをＭＦＰ２０のジョブデータ取得手段２８ｄがネットワーク通信部２６を介して受信すると、ＭＦＰ２０のジョブ実行手段２８ｅは、このジョブデータに基づいてジョブを実行する（Ｓ８３）。例えば、Ｓ８２において送信されてきたジョブデータが印刷データである場合、ジョブ実行手段２８ｅは、この印刷データに基づいてプリンター２４による印刷ジョブを実行する。
【００９１】
以上に説明したように、画像処理システム１０は、画像を処理するジョブのためのジョブデータを記憶するフォルダー３４ｃを共有フォルダー管理プログラム３４ａの起動中のみコンピューター３０が共有状態にする（Ｓ４２）ので、共有フォルダーに記憶されているジョブデータから情報が流出する危険性を低減することができる。
【００９２】
画像処理システム１０は、ＭＦＰ２０の操作部２１に入力された指示に応じて選択された共有フォルダーからＭＦＰ２０にジョブデータを取得する（Ｓ７５〜Ｓ８２）ので、利用者によって選択された共有フォルダーに記憶されているジョブデータに基づいたジョブをＭＦＰ２０に実行させることができる。
【００９３】
画像処理システム１０は、ＭＦＰ２０からネットワーク１１上に配信する検索メッセージと、検索メッセージに応答するためにコンピューター３０によって送信される応答メッセージとによって、ジョブデータを記憶している共有フォルダーを備えるコンピューター３０をＭＦＰ２０が特定する（Ｓ７３およびＳ７４）ので、ジョブデータを記憶している共有フォルダーを備えるコンピューター３０の情報をＭＦＰ２０に事前に設定する必要がなく、容易に実現することができる。
【００９４】
画像処理システム１０は、特定の利用者の利用者ＩＤが含まれる検索メッセージを送信してきたＭＦＰ２０にコンピューター３０が応答メッセージを返信するので、特定の利用者に対応付けられている共有フォルダーを備えるコンピューターのみをＭＦＰ２０によって特定することができる。したがって、画像処理システム１０は、コンピューター３０の共有フォルダーに記憶されているジョブデータから情報が流出する危険性を低減することができる。
【００９５】
画像処理システム１０は、コンピューター３０から送信されてきたアクセス用情報をコンピューター３０に送信するＭＦＰ２０のみが共有フォルダーにアクセス可能であるので、コンピューター３０の共有フォルダーに記憶されているジョブデータから情報が流出する危険性を低減することができる。
【００９６】
画像処理システム１０は、共有フォルダー管理プログラム３４ａの起動中のコンピューター３０の共有フォルダーが共有フォルダー情報に自動的に含められる（Ｓ４３）ので、ジョブデータを記憶している共有フォルダーの情報をＭＦＰ２０に事前に設定する必要がなく、容易に実現することができる。
【００９７】
本発明の画像処理装置は、本実施の形態においてＭＦＰであるが、プリンター専用機など、ＭＦＰ以外の画像処理装置であっても良い。
【符号の説明】
【００９８】
１０  画像処理システム
１１  ネットワーク
２０  ＭＦＰ（画像処理装置）
２１  操作部（入力デバイス）
２２  表示部（表示デバイス）
２８ａ  検索メッセージ配信手段
２８ｂ  共有フォルダー情報要求手段
２８ｃ  共有フォルダー情報表示手段
２８ｄ  ジョブデータ取得手段
３０  コンピューター
３４ａ  共有フォルダー管理プログラム
３４ｂ  共有フォルダー情報
３４ｃ  フォルダー
３５ｂ  共有フォルダー管理サービス（共有フォルダー管理手段）
３５ｃ  共有フォルダー情報管理システム（共有フォルダー情報管理手段）
３５ｄ  検索サービス（応答メッセージ返信手段）
３５ｅ  共有フォルダー情報サービス（共有フォルダー情報送信手段）
【図１】
2017076321.tif 000003
【図２】
2017076321.tif 000004
【図３】
2017076321.tif 000005
【図４】
2017076321.tif 000006
【図５】
2017076321.tif 000007
【図６】
2017076321.tif 000008
【図７】
2017076321.tif 000009
【図８】
2017076321.tif 000010
【図９】
2017076321.tif 000011
【図１０】
2017076321.tif 000012